(57)【要約】      （修正有）【課題】人体の各部位の電気抵抗を測定する人体健康検査システムの構造を提供する。【解決手段】人体健康検査システムの構造Ａは、電気抵抗測定器１、アウトプット端子３、プロセッサー４を含み、該電気抵抗測定器１に含まれるものは、導電棒１１及び導電性プローブ１２であり、該導電棒１１は人体が握り、該導電性プローブ１２と合わせて、該人体の十二経絡のうちの一つと抵触することで、電気回路を形成し、経絡電気抵抗値を得る。【選択図】図１
0003209595.tif 000002
【実用新案登録請求の範囲】
【請求項１】
電気抵抗測定器、アウトプット端子、プロセッサーを含み、
該電気抵抗測定器に含まれるものは、導電棒及び導電性プローブであり、該導電棒は人体が握り、該導電性プローブと合わせて、該人体の十二経絡と抵触することで、電気回路を形成し、経絡電気抵抗値を得て、
プロセッサーのそれぞれの信号は該アウトプット端子、該電気抵抗測定器及び経絡電気抵抗値の参考データバンクと接続し、該経絡電気抵抗参考値データバンクには、複数の人体に対応する各経絡電気抵抗参考値を含み、該プロセッサーに電気抵抗値比較プログラムがあり、該電気抵抗値比較プログラムにより該プロセッサーが執行でき、
該電気抵抗測定器に基づきその中の経絡を検査して得た該経絡電気抵抗値と、該経絡電気抵抗参考値データバンクで互いに対応する該経絡の電気抵抗参考値で比較を行い、且つ比較した結果は該アウトプット端子よりアウトプットすることを特徴とする人体健康検査システムの構造。
【請求項２】
更に血圧測定器を設け、該血圧測定器により、人体の血圧を測定して血圧測定値を得ることができ、該プロセッサーは該血圧測定器及び血圧データバンクと電気接続し、該プロセッサーに血圧処理プログラムがあり、該血圧処理プログラムにより該プロセッサーが執行し、
該血圧測定値を該血圧データバンクの中に保存し、且つ該アウトプット端子を通じてアウトプットし、
或いは該血圧データバンクの中の各血圧測定値は、該アウトプット端子を通じてアウトプットすることを特徴とする請求項１記載の人体健康検査システムの構造。
【請求項３】
更に映像ユニットを設け、該映像ユニットに含まれるのはカメラ及びディスプレイであり、該カメラで人体を撮ってビデオデータを得て、
該プロセッサーによりインターネット信号が別の映像ユニットと接続し、該プロセッサーに映像処理プログラムを書き、該映像ユニット処理プログラムにより該プロセッサーが執行し、
該ビデオデータを別の映像ユニットにアウトプットし、且つ別の映像ユニットのビデオデータを受信し、且つ該ディスプレイを通じて該ビデオデータを表示することを特徴とする請求項１或いは請求項２記載の人体健康検査システムの構造。
【請求項４】
前記該映像ユニットに更に含まれるのはマイク、及びスピーカーであり、該マイクは人体の音を拾って音声信号を得て、該映像処理ユニットにより該プロセッサーが執行し、該音声信号を別の映像ユニットにアウトプットし、且つ別の映像ユニットの音声信号を受信し、且つ該スピーカーを通じて該音声信号をアウトプットすることを特徴とする請求項３記載の人体健康検査システムの構造。
【請求項５】
前記該導電棒及び該導電性プローブの検査端は銅金属によって作られることを特徴とする請求項１或いは請求項２記載の人体健康検査システムの構造。
【請求項６】
前記該導電棒或いは該導電性プローブの二者のうちの一つにより２００μ(１±５％)Ａをアウトプットすることができることを特徴とする請求項５記載の人体健康検査システムの構造。
【考案の詳細な説明】
【技術分野】
【０００１】
本考案は一種の医療補助器具の構造に関し、特に人体健康検査システムの構造に関する。
【背景技術】
【０００２】
生体電気インピーダンス法(Ｂｉｏｅｌｅｃｔｒｉｃａｌ Ｉｍｐｅｄａｎｃｅ Ａｎａｌｙｓｉｓ)の医学電気抵抗の研究は、１９世紀末から始まっていた。生体インピーダンステクノロジーは、生体組織と器官の電気特性(インピーダンス、誘電率など)及びその変化は、人体の生理、病理状況に関連する生体医学情報の非侵入タイプの検査技術によるものである。通常は皮膚表面の電極システムを用いて、機械を使って被検者に一つのマイクロ電源を発射し、相応するインピーダンス及びその変化状況を検査する。そして異なる応用目的に基づき、関連する生理及び病理の情報を獲得する。このような技術は非侵入性、安く、安全且つ無毒無害、操作が簡単である特徴を具有し、ヘルスケアスタッフと患者はいずれも受け入れやすく、広い応用展望を具有する。しかし、生体インピーダンス法は例えば体脂肪計、呼吸パラメータの測定値、皮膚の水分測定器など、早くから私たちの生活の周りで応用されており、いずれも電気インピーダンス値を利用して生体情報を獲得している。
【０００３】
その中、人体の各部位のインピーダンスはいずれも異なるため、上肢、胴体、下肢を区別せずに、全身のインピーダンスのみを測定する方法では、やはり人体の実際の状況を反応することができない。よって、更に精密な測定において、人体各部位の電気抵抗値をそれぞれ測定することで、体の各部位の状況を反応することができる。人体の上肢、胴体、下肢のサイズがそれぞれ異なり、その電気抵抗値も異なる。例えば上肢の電気抵抗は２５０Ω前後に達し、胴体は２５Ω前後のみである。健康な人の上肢と下肢の左右はバランスが取れていて、電気抵抗値も左右同じである。しかし、四肢に障害を持っている人は、左右のデータが異なり、大きな差が生じることがあるため、更に精確な判断結果が必要な場合は、各部位について測定をする必要があり、全体の電気抵抗のみで測定してはならない。
【０００４】
しかし、台湾の古典的な伝統医学或いは中国医学のヘルスケアは、人体内の経絡が五臓六腑とつながり、肢体運動を協調し、全身の気と血を運行し、且つ身体機能の各部位の循環ルートを調節する。経絡とツボは人体が気、血、筋、液を送る重要なルートであり、気と血を正常に身体の各部位に送ることで、全ての臓器器官、体表面及び四肢、骨と肉の正常な機能の働きを維持し、且つ必要な栄養物質を提供する。
【０００５】
西暦１９４９年、日本京都大学の教授である中谷義雄博士は、皮膚の電気抵抗値を研究していた時、各種の内臓疾病を患う患者に、いずれも特定の皮膚電気抵抗値反応パターンが現れ、これらの排列に基づき通電しやすい反応ポイントを発見した。よって、本考案の考案者は、仮に上述の中谷義雄博士の研究を、前述の古典医学或いは中国医学のヘルスケアの学理を結合すれば、人体の各経絡の電気抵抗値を測定し、電気抵抗値の変化により、経絡が対応する人体器官或いは身体の部位が異常を来たしているのかを判断することができ、専門医師が後続の判断に役立ち、より精確に患者を知り、診断することができると考えた。
【先行技術文献】
【特許文献】
【０００６】
【特許文献１】特開2012-148266号公報
【考案の概要】
【考案が解決しようとする課題】
【０００７】
前記公知構造の欠点を解決するため、本考案は人体健康検査システムの構造を提供することを主な課題とする。
【課題を解決するための手段】
【０００８】
上述の目的を解決するために、本考案は人体健康検査システムの構造を提供するものである。電気抵抗測定器、アウトプット端子、プロセッサーを含み、該電気抵抗測定器に含まれるものは、導電棒及び導電性プローブであり、該導電棒は人体が握り、該導電性プローブと合わせて、該人体の十二経絡のうちの一つと抵触することで、電気回路を形成し、経絡電気抵抗値を得る。
【０００９】
該プロセッサーのそれぞれの信号は該アウトプット端子、該電気抵抗測定器及び経絡電気抵抗値の参考データバンクと接続する。該経絡電気抵抗参考値データバンクには、複数の人体に対応する各経絡電気抵抗参考値が含まれる。該プロセッサーは電気抵抗値比較プログラムを有し、該電気抵抗値比較プログラムにより該プロセッサーが執行できる。該電気抵抗測定器に基づき、ある任意の経絡を検査して得た該経絡電気抵抗値と、該経絡電気抵抗参考値データバンクで互いに対応する該経絡の電気抵抗参考値で比較を行い、且つ比較した結果は該アウトプット端子よりアウトプットする。
【００１０】
このようにすれば、本考案の人体健康検査システムを通じて、ユーザーは人体にある十二経絡中の各経絡の電気抵抗値を検査することにより、更に該経絡電気抵抗値が所定の範囲値を超えるか否かに基づき、各経絡が対応する人体器官、或いは体の部位に異常が発生しているのか否かを判断し、それにより体の健康状態を検査する。この他、医療スタッフは更に該人体健康検査システムが検査した結果を補助として、精確に患者の体の健康状態を判断し、治療のクォリティ及び効率をアップする。
【考案の効果】
【００１１】
本考案の人体健康検査システムを通じて、体の健康状態を検査すると共に、医療スタッフは該人体健康検査システムが測定した結果を補助として、精確に患者の体の健康状態を判断し、治療のクォリティ及び効率をアップする。
【図面の簡単な説明】
【００１２】
【図１】本考案のシステム接続略図である。
【図２】本考案の各部品の接続ブロック図である。
【考案を実施するための形態】
【００１３】
以下、本考案の構造と特徴および効果を、最良実施例と図面を参照しながら詳細に説明する。
【実施例】
【００１４】
図１に示すように、本考案は一種の人体健康検査システムに関し、該人体健康検査システムＡに含まれるのは、電気抵抗測定器、血圧測定器２、アウトプット端子３、プロセッサー４である。
【００１５】
図１及び図２に示すように、該電気抵抗測定器１に主に含まれるものは、導電棒１１及び導電性プローブ１２である。該導電棒１１は主に被検者(例えば患者)が握り、該導電性プローブ１２は測定者(例えば医者)、或いは被検者(例えば患者)自身が握ることで、導電性プローブ１２の先端の測定端を通じて、人体の十二経絡のうちの一つをタッチすると、該導電棒１１或いは該導電性プローブ１２の二者のうちの一つが電源をアウトプットするため、該電気抵抗測定器１と人体が導通し、それにより該経絡の電気抵抗を測定して、経絡電気抵抗値を得る。この他、本考案の考案者の研究で分かるように、該導電棒１１或いは該導電プローブ１２の二者の内の一つがアウトプットする電流値が２００μ(１±５％)Ａである場合、老人或いは子供に関わらず、いずれもその身体の健康に影響を及ぼしにくく、測定した結果も比較的正確である。
【００１６】
また、本説明書が言及する該十二経絡に主に含まれるのは、肺経、心経、心包経、小腸経、三焦経、大腸経、脾経、肝経、腎経、膀胱経、胆経及び胃経。である。
【００１７】
次に、血液測定器２について説明する。
【００１８】
図１及び図２に示すように、該血圧測定器２により被検者(例えば患者)の血圧を測定して血圧測定値を得る。
【００１９】
次に、アウトプット端子３について説明する。
【００２０】
図１及び図２に示すように、該アウトプット端子３は前記の検査結果、例えば血圧測定値、該経絡電気抵抗値などをアウトプットすることができる。該アウトプット端子３はディスプレイやスマートホーン、プリンターなどをセレクトすることができ、被検者(例えば患者)、或いは測定者(例えば医者)がその検査結果を知ることができる。
【００２１】
次に、プロセッサー４について説明する。
【００２２】
図１及び図２に示すように、該プロセッサー４はそれぞれ該電気抵抗測定器１、該血圧測定器２、該アウトプット端子３、経絡電気抵抗参考値データバンク５、及び血圧データバンク６と電気接続する。該プロセッサー４は電気抵抗値の比較プログラム及び血圧処理プログラムを有する。以下にそれぞれのプログラムの作動を紹介する。
【００２３】
まず、先に該電気抵抗値比較プログラムについて説明する。該電気抵抗値比較プログラムにより該プロセッサー４が執行する。まず、該電気抵抗測定器１が検査する経絡が得た該経絡電気抵抗値に基づき、該経絡電気抵抗参考値データバンク５において、互いに対応する経絡の電気抵抗参考値で比較を行い、且つ比較した結果は該アウトプット端子３を用いてアウトプットする。
【００２４】
結果として、本考案の人体健康検査システムＡを用いて、ユーザーは体の各経絡の電気抵抗値を検査し、更に該電気抵抗値に基づき、所定の範囲値を超えるか否かで、各経絡が対応する人体の器官、或いは人体の部位に異常が発生しているか否かを判断し、体の健康状況を検査する。そのほか、医療スタッフは更に該人体健康検査システムを通じて検査した結果を補助に、より精確に患者の身体の健康状態を判断し、治療のクォリティ及び効率をアップする。
【００２５】
また、前記の該十二経絡が対応して関連する人体の器官はそれぞれ、肺鼻皮膚、心臓血管、心臓舌眼腋窩、小腸目舌、乳腺耳目、大腸歯鼻舌、脾臓胃脳、肝臓目生殖器、脳目歯鼻腔、膀胱耳鼻目、胆嚢頭部筋肉、胃乳腺歯口などである。よって、前記で述べる比較検査結果において、対応する経絡の電気抵抗値が所定の範囲値を超えると下記の症状の可能性がある。例えば心包経の関連器官は心臓血管であり、仮に該経絡電気抵抗値が予定範囲値より高くなった場合、腫れて目が充血するなどの症状が生じる。仮に該経絡の電気抵抗値が予定範囲値より低くなった場合、動悸して胸に圧迫感などの症状が生じる。よって、ユーザーは該人体健康検査システムＡを通じて、目下の体の各部位の健康状態をはっきりと知ることができる。
【００２６】
続いて、更に該血圧処理プログラムについて説明する。該血圧処理プログラムにより該プロセッサー４が執行する。該血圧測定値を該血圧データバンク６の中に保存し、且つ該アウトプット端子３を通じてアウトプットする。或いは該血圧データバンク６にある各血圧測定値は該アウトプット端子３を通じてアウトプットする。そうすれば、ユーザーは自動的に毎日の血圧状況を記録することができ、医師の診断の補助にもなる。更に、医師が該人体健康検査システムＡを使用する際、該経絡検査結果に基づき、該血圧測定値と合わせて、より精確に患者のその時点の体の状態を判断することになり、治療の効果を高めることになる。
【００２７】
この他、本考案の考案者は更に、幾つかの重病患者が気軽に診療室に出向くことができない場合を考慮し、本考案の該人体健康検査システムＡは、更にインターネット、クラウドを使って、医師のビデオ診断を受けることができ、診断の便利性を高めることができる。すなわち、該人体健康検査システムＡは更に、映像ユニット７を設けていてもよい。該映像ユニット７に含まれるのはカメラ７１、及びディスプレイ７２である。該カメラ７１は人体を写してビデオ資料を得ることができる。該プロセッサー４はインターネットからの直接/間接信号を別の映像ユニット７Ａと接続することができる。該プロセッサー４に映像処理プログラムがあり、該映像ユニット処理プログラムにより該プロセッサー４が執行する。該ビデオデータを別の映像ユニット７Ａにアウトプットし、且つ別の映像ユニット７Ａのビデオデータを受信し、更に該ディスプレイ７２を通じて、該ビデオデータを表示する。映像ユニット７、７Ａを通じて、患者は該ディスプレイ７２を介し、医師の診断過程を見ることができる。患者を安心させる効果があるほか、患者と医師との信頼関係も生まれる。
【００２８】
また、医師の問診、或いは患者を該カメラ７１の撮影位置に導くのに便利になるよう、該映像ユニット７は更に、マイク、及びスピーカーを含んでいてもよい。該マイクは人体の音を拾って音声信号を得る。該映像処理プログラムにより該プロセッサー４が執行する。該音声信号を別の映像ユニット７Ａにアウトプットし、更に別の映像ユニット７Ａの音声信号を受信し、且つ該スピーカーより該音声信号をアウトプットする。また、該プロセッサー４がインターネットと接続する別の映像ユニットは一台と限らず、同時にインターネットを通じて複数台の別の映像ユニットと接続することができるため、複数の医師は同時にクラウド、インターネットを通じて、同時に１人の患者を診断することができる。
【００２９】
以上の実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００３０】
Ａ  人体健康検査システム
１  電気抵抗測定器
１１  導電棒
１２  導電性プローブ
２  血圧測定器
３  アウトプット端子
３Ａ  プリンター
４  プロセッサー
５  経絡電気抵抗参考値データバンク
６  血圧データバンク
７  映像ユニット
７Ａ  映像ユニット
７１  カメラ
７２  ディスプレイ
【図１】
0003209595.tif 000003
【図２】
0003209595.tif 000004